(57)【要約】  ソースアクセスシステムを介してアクセス端末からターゲットシステムへトンネリングを実行することで、（例えば、異種の）ネットワーク間でスイッチし、ソースアクセスシステム及びターゲットアクセスシステム間で相互動作するシステム及び方法。システム間ハンドオフ制御構成要素は、モバイルユニットによるターゲットアクセスへのトンネリング及び／又はソースアクセスシステム及びターゲットアクセスシステム間のトンネリングを設定することを促進することができ、ターゲットシステムに関連するシグナリング及び／又はパケット送信は、ソースシステムを介して転送されることができる。
2010521924.tif 000002
【特許請求の範囲】
【請求項１】
ソースアクセスシステム及びターゲットアクセスシステム間でトンネリングすることと、
前記トンネリング動作によって、前記ソースアクセスシステムを経由してアクセス端末（ＡＴ）からターゲットアクセスシステムにハンドオーバー関連信号を伝送することと、
を具備するセッションハンドオフの方法。
【請求項２】
前記アクセス端末から前記ソースアクセスシステムへのトンネルを確立することをさらに具備し、
前記ソースアクセスシステム又は前記ターゲットアクセスシステムは、３ＧＰＰ規格、３ＧＰＰ２規格又はＩＥＥＥ規格の少なくとも１つに基づいて動作可能である請求項１の方法。
【請求項３】
前記ハンドオーバー関連信号を伝送することは、前記ソースアクセスシステムから前記ターゲットアクセスシステムへ前記アクセス端末の通信セッションのハンドオーバーを促進するために、前記アクセス端末及び前記ターゲットアクセスシステム間のセッションをネゴシエートすることを備える請求項１の方法。
【請求項４】
所定のイベントのトリガによって、前記アクセス端末及び前記ターゲットアクセスシステム間でハンドオーバー準備ステージを開始することをさらに具備する請求項１の方法。
【請求項５】
前記アクセス端末がサービスエリアの端部に達していることを示す通知を前記ターゲットアクセスシステムから受信することと、
前記通知の受信に基づいて、前記トンネリング及び前記ハンドオーバー関連信号の伝送を開始することと、をさらに具備する請求項１の方法。
【請求項６】
前記ハンドオーバー関連信号を伝送することは、前記ターゲットアクセスシステムに関連する無線アクセスネットワーク（ＲＡＮ）パラメータを予め設定することをさらに備える請求項１の方法。
【請求項７】
前記アクセス端末及び前記ターゲットアクセスシステム間の通信を開始するために、前記ターゲットアクセスシステムから無線リソースを要求することをさらに具備する請求項１の方法。
【請求項８】
セッションハンドオフを完了するために、前記アクセス端末を前記ターゲットアクセスシステムに登録することをさらに具備する請求項１の方法。
【請求項９】
前記トンネリングすることは、前記アクセス端末の前記ターゲットアクセスシステムへのハンドオーバー準備を促進するために、前記ソースアクセスシステムから前記ターゲットアクセスシステムへのマッピングに基づいている請求項１の方法。
【請求項１０】
ソースアクセスシステム及びターゲットアクセスシステム間にトンネルを確立する第１のモジュールであって、前記ソースアクセスシステムが前記ターゲットアクセスシステムの第２の技術とは異なる第１の技術を備えている第１のモジュールと、
前記トンネルを介してアクセス端末からターゲットアクセスシステムにハンドオーバー関連パケットを伝送する第２のモジュールと、
を具備する、セッションハンドオフを提供するように構成される少なくとも１つのプロセッサ。
【請求項１１】
コンピュータに、異種であるソースアクセスシステム及びターゲットアクセスシステム間にトンネルを確立させる第１のコードセットと、
前記コンピュータに、前記トンネルを介してかつ前記ソースアクセスシステムを経由して、アクセス端末から前記ターゲットアクセスシステムにパケットを伝送させる第２のコードセットと、
を備えるコンピュータ読み取り可能を具備するコンピュータプログラム製品。
【請求項１２】
異種のソースアクセスシステム及びターゲットアクセスシステム間で信号を伝送する伝送手段と、
前記伝送手段によってアクセス端末から前記ターゲットアクセスシステムにパケットを送信する手段と、
を具備する装置。
【請求項１３】
異なる技術を使用するソースアクセスシステム及びターゲットアクセスシステム間でトンネリングすることと、
アクセス端末により伝送され、かつ前記ソースアクセスシステムを経由して再ルーティングされるパケットを前記ターゲットシステムで受信することと、
を具備するハンドオフの方法。
【請求項１４】
前記トンネリング動作は、アクセス端末の認識なしに生じる請求項１３の方法。
【請求項１５】
ハンドオーバー準備の一部として前記アクセス端末及び前記ターゲットアクセスシステム間のセッションをネゴシエートすることをさらに具備する請求項１３の方法。
【請求項１６】
パイロットレポートから前記ターゲットアクセスシステムを指定することをさらに具備する請求項１３の方法。
【請求項１７】
前記ターゲットアクセスシステムとの前記アクセス端末の通信を促進するために、所定のイベントのトリガによってハンドオーバー準備ステージを開始することをさらに具備する請求項１３の方法。
【請求項１８】
ハンドオーバー準備を開始するために、セッションハンドオフを前記ソースアクセスシステムに通知することをさらに具備する請求項１３の方法。
【請求項１９】
前記アクセス端末がサービスエリアの端部に達していることを示すために、前記ソースアクセスシステムによって通知することをさらに具備する請求項１３の方法。
【請求項２０】
セッションハンドオフをトリガするために、前記アクセスソースシステムにより受信されるパイロット信号が弱まることをさらに具備する請求項１３の方法。
【請求項２１】
ハンドオーバー準備中に前記ターゲットアクセスシステムからエアリソース上で要求することをさらに具備する請求項１３の方法。
【請求項２２】
ハンドオーバー実行を完了するために、前記アクセス端末を前記ターゲットアクセスシステムに登録することをさらに具備する請求項１３の方法。
【請求項２３】
前記ソースアクセスシステム及び前記ターゲットアクセスシステム間のハンドオーバー準備を促進するために、前記ソースアクセスシステムから前記ターゲットアクセスシステムへマッピングすることをさらに具備する請求項１３の方法。
【請求項２４】
前記トンネリングすることは、システム間シグナリングプロトコル及びターゲットシステムシグナリングのうちの１つに基づいて動作する請求項１３の方法。
【請求項２５】
異種の無線通信システムであるターゲットアクセスシステム及びソースアクセスシステムの両方で動作可能な無線アクセス端末と、
前記ソースアクセスシステムから前記ターゲットアクセスシステムへセッションを移すように動作可能なシステム間ハンドオフ制御構成要素と、
を具備するコンピュータ実装システム。
【請求項２６】
異種であるソースアクセスシステム及びターゲットアクセスシステム間でスイッチする命令を提供するメモリユニットと、
前記ターゲットアクセスシステムへＬ２層トンネリングする命令を実行するプロセッサユニットと、
を具備する無線通信システム。
【請求項２７】
異種の通信システム内のアクセス端末にデータパケットを伝達する伝達手段と、
前記伝達手段であるソースアクセスシステムからターゲットアクセスシステムへ前記アクセス端末をスイッチする手段と、
を具備する通信システム。
【請求項２８】
データリンク層で前記アクセス端末へトンネリングする手段をさらに具備する請求項２７の通信システム。
【請求項２９】
前記ターゲットアクセスシステムを特定する手段をさらに具備する請求項２８の通信システム。
【請求項３０】
前記ターゲットアクセスシステムへのセッションハンドオーバーを準備する手段をさらに具備する請求項２７の通信システム。
【発明の詳細な説明】
【技術分野】
【０００１】
[合衆国法典第３５編第１１９条に基づく優先権の主張]
本特許出願は、本発明の譲受人に譲渡され、参照により本明細書に明示的に組み込まれ、２００７年３月１６日に出願され、「INTERTECHNOLOGIES INTERWORKING（技術間の相互動作）」と題された仮出願第６０／８９５，３６５号の優先権を主張する。  
[技術分野]
本発明は、一般に、無線通信に係り、より詳細には、ソースアクセスシステム及びターゲットアクセスシステム間のセッションハンドオフ手続きのための方法及び装置に関する。
【背景技術】
【０００２】
無線ネットワークシステムは、世界中で他者と通信する一般的な手段になっている。セルラ電話機及び携帯情報端末等の無線通信装置は、消費者ニーズを満たすために、並びに可搬性及び利便性を向上するために、より小型でよりパワフルになってきている。消費者は、これらの装置に依存するようになっており、信頼度の高いサービス、サービスエリアの拡大、追加のサービス（例えば、ウェブ閲覧機能）、並びにこのような装置におけるサイズ及びコストの継続的な低減を求めている。
【０００３】
特に、無線技術の発展が進み続けると、モバイルサービスの発達は、ますます豊富に、より有力なモバイルサービス及び集中型サービスに発展し続けるだろう。エンドユーザがあらゆる環境においてより多くかつより高品質のマルチメディアコンテンツを要求すると、装置技術の発展は、データ使用の増加している消費を増大し続けるだろう。例えば、過去数年にわたって、無線通信技術は、アナログで駆動されるシステムからデジタルシステムへ発展している。一般に、従来のアナログシステムでは、アナログ信号は、順方向リンク及び逆方向リンクで中継され、適切な品質に関連するが、信号の送信及び受信を可能にするためにかなりの量の帯域幅を要求する。アナログ信号が時間及び空間で連続であるために、ステータスメッセージ（例えば、データの受信又は非受信を示すメッセージ）は、生成されない。一方、パケット交換方式のシステムは、アナログ信号がデータパケットに変換され、アクセス端末（ＡＴ）と基地局、ルータ及びその同種のものとの間の物理チャネルによって伝送されることを可能にする。さらに、デジタルデータは、パケット交換方式のネットワークの使用によって、その本来の形態（例えば、テキスト、インターネットデータ及びその同種のもの）で中継されることができる。
【０００４】
このため、デジタル無線通信システムは、種々の通信サービス、例えば、電話、ビデオ、データ、メッセージング、ブロードキャスト等を提供するために広く展開されている。このようなシステムは、利用可能なネットワークリソースの共有により広域ネットワーク（ＷＡＮ）に複数の接続端末を接続するアクセスネットワークを一般に使用する。アクセスネットワークは、地理的なサービスエリア（coverage region）の至る所に分散される複数の接続ポイントで通常実施される。さらに、地理的なサービスエリアは、各セル中にアクセスポイントを有するセルに分割されることができる。同様に、セルは、セクタにさらに分割されることができる。しかしながら、このようなシステムアーキテクチャでは、同じ通信方法及びポリシーを共有しないアクセスシステム間の効率的なハンドオフの提供は、挑戦的な課題となる。
【発明の概要】
【０００５】
以下は、記載される態様の基本的な理解を提供するために単純化された概要を示している。この概要は、広範な概観ではなく、主要又は決定的な要素を特定するように意図するものでもなく、このような態様の範囲を線引きするように意図するものでもない。その目的は、後に示される、より詳細な説明の前置きとして、単純化された形式で、記載される態様のいくつかの概念を提示することである。
【０００６】
記載される態様は、システム間ハンドオフ制御構成要素の使用によって、ネットワーク（例えば、異種のネットワーク）間においてハンドオーバーの事前セットアップ及び実行、並びにデータパケットの再ルーティングを可能にする。このようなシステム間ハンドオフ制御構成要素は、ＡＴからソースアクセスシステムを経由してターゲットアクセスシステムへのパケットトンネリングを実行することによって、ハンドオーバー準備及びハンドオーバー実行の種々のステージ中に、ソースアクセスシステムからターゲットアクセスシステムへのセッションハンドオフを促進することができる。ＡＴは、デュアルモードスタックで（in dual mode stacks）、さらに無線で、動作することができ、例えば、１つの技術でデータを伝送することができる。従って、ＡＴは、ハンドオフ時にそのような手続きを完了するのに必要なものを最小限にするために、トンネルに関して事前セットアップを利用する。
【０００７】
このように、システム間ハンドオフ制御構成要素は、ＡＴ及びターゲットアクセスシステム間のセッションネゴシエーションの一部として、予めトンネリングを提供することができ、ここでは、パケットは、（例えば、ハンドオフ中の割り込みを低減し、ハンドオフ中のセッションセットアップを実行する要求を軽減するために）ソースアクセスシステムを介して（例えば、透過的に、或いは非透過的に）トランスポートされる。それとは異なるシステム（例えば、異なる技術及び／又は通信手続き及びプロトコルを使用する異種のシステム)と見なされる場合、ＡＴ及びターゲットアクセスシステム間のセッションネゴシエーション中に、ソースアクセスシステムが一般に関与しないことは、認識されるべきである。さらに、トンネリングされるパケットは、ターゲットシステムにおいてハンドオーバーの事前セットアップ及びハンドオーバー実行に特有であることができ、このようなトンネルパケットは、ＩＰ又はリンク層でトランスポートされることができる。例えば、このようなパケットは、ターゲットアクセスシステムに関連するシグナリングメッセージ、ターゲットＲＡＮに特有のメッセージ、ターゲットアクセスシステムにおけるＩＰアドレスの事前セットアップに関連するシグナリング、認証及び承認に関連するもの、及びその同種のものに関連することができる。
【０００８】
関連する態様では、ハンドオーバー準備ステージ中に、トンネルがＡＴからソースアクセスシステムへ確立されることができ、ＡＴから見て、システム間通信が２つのアクセスシステム間で生じ、「モバイルターゲットアクセスシステム（mobile-target access system）」のシグナリングは、そのようなトンネル上を進む。このようなトンネルは、関連するトンネリングのタイプ（例えば、トンネリングがデータリンク層で生じるか否か）に応じてターゲットアクセスシステムへの他のトンネルの確立に付随して起こることができる。ソースアクセスシステムは、パイロットレポートに基づいてターゲットアクセスシステムをさらに指定することができ、ＡＴは、ターゲットアクセスシステムと通信することができ、ネゴシエーションのプロセスを確立することができる。
【０００９】
方法に従って、はじめに、ＡＴ（例えば、モバイル装置）は、ソースアクセスシステムとその手続き／技術で通信する。その後、ハンドオーバー準備ステージは、所定のイベントのトリガによって開始され、ソースアクセスシステムは、（ソースアクセスシステムと異なる手続き／技術のセットを使用する）ターゲットアクセスシステムへのセッションをハンドオフする要求を通知されることができる。通知は、パイロット信号の弱化、及び／又はＡＴがソースシステムのサービスエリアの端部に達しており、ハンドオフの準備が開始されることができることを示すターゲットアクセスシステムからの通知に基づいてトリガされることができる。このようなハンドオーバー準備ステージは、ターゲットシステムと関連する無線アクセスネットワーク（ＲＡＮ）を事前設定することをさらに含むことができる。
【００１０】
続いて、ターゲット接続準備ステージが生じ、これは、パイロット信号情報に関連する所定のイベント等のような、ソースアクセスシステム又はーゲットアクセスシステムにおけるトリガに基づくことができる。従って、ＡＴは、無線リソースを要求することができ、ターゲットアクセスシステムからＡＴへの無線リソースの割り当てをさらに含むことができる。ＡＴがトンネルにおける結果割り当て（result assignment）を受信すると、ＡＴは、ターゲットアクセスシステムを捕捉し、それへのパケットを方向転換する（divert）ことができる。このように、ハンドオーバー実行又は完了中に、ＡＴは、無線でターゲットアクセスシステムを捕捉し、ＩＰトラフィックは、ＡＴにリダイレクトされ、パケットは、ソースアクセスシステムを介して（透過的、又は非透過的に）トランスポートされることができる。このような異種のアクセスシステム間の典型的なハンドオフは、ウルトラモバイルブロードバンド（ＵＭＢ）及び高レートパケットデータ（ＨＲＰＤ）と、ＷｉＭａｘ／ＨＲＰＤと、ロングタームエボリューション（ＬＴＥ）／ＨＲＰＤとの間のハンドオフを含むことができ、システムアーキテクチャは、ハンドオフ準備のためのモバイルを積極的に含むためにクライアントモバイルＩＰを使用して、インターネットプロトコル（ＩＰ）モビリティを実施することができる。
【００１１】
前述及び関連する目的を達成するために、ある実例となる態様が以下の記述及び添付の図面に関連して説明される。しかしながら、これらの態様は、開示された主題の原理が使用されることができる種々の方法のほんの数例を示し、クレームされた（claimed）主題が全てのこのような態様及びそれらの等価物を含むように意図される。他の利点及び新規の特徴は、図面とともに考慮されて以下の詳細な説明から明らかになるだろう。
【図面の簡単な説明】
【００１２】
【図１】図１は、ソースアクセスシステムからターゲットアクセスシステムへのセッションハンドオフを可能にする典型的なシステム間ハンドオフ制御構成要素を示す。
【図２】図２は、ハンドオーバー準備構成要素がアクセス端末からターゲットアクセスシステムへのトンネリングを実行する特定の態様を示す。
【図３】図３は、異種のネットワーク間のハンドオーバー事前セットアップ／実行を可能にするパケットの再ルーティングを示す。
【図４】図４は、一態様に従って異種のネットワーク間のハンドオーバー事前セットアップ／実行のためのパケットの再ルーティングについてのさらなる方法を示す。
【図５】図５は、さらなる態様に従ったセッションハンドオフの関連方法を示す。
【図６】図６は、ソースアクセスシステム及びターゲットアクセスシステム間の相互作用のための典型的なブロック図を示す。
【図７】図７は、ハンドオーバー事前セットアップ／実行のためのパケットの再ルーティング、及び異種のネットワーク内のデータパケットの再ルーティングを可能にする典型的なコールフローを示す。
【図８】図８は、関連する態様に従った典型的な異種の無線通信システムを示す。
【図９】図９は、移動ユニットによって確立されたＬ２（データリンク層）トンネルを介して、ハンドオフが要求される場合に、異種のアクセスシステム間のデータの伝送を促進する特定のシステムを示す。
【図１０】図１０は、Ｌ２層でハンドオフの前及びそのハンドオフの後にアクセス端末へのデータ伝送に関連して使用されることができるシステムを示す。
【図１１】図１１は、ハンドオフの指示の受信、及び／又はそれに応じたアクセス端末へのデータ伝送に関連して使用されることができるシステムを示す。
【詳細な説明】
【００１３】
以下、図面を参照して種々の態様を説明する。以下の記載では、説明の目的のために、複数の特定の詳細が１以上の態様の充分な理解を提供するために説明される。しかしながら、このような態様がこれらの特定の詳細なしに実行されうることは、明らかであろう。
【００１４】
本明細書において使用される場合、用語「構成要素（component）」、「モジュール（module）」、「システム（system）」及びその同種のものは、コンピュータ関連エンティティ（entity）、例えば、以下のものに限定されないが、ハードウェア、ファームウェア、ハードウェアとソフトウェアとの組み合わせ、ソフトウェア、又は実行中のソフトウェア等を含むように意図される。例えば、構成要素は、以下のものに限定されないが、プロセッサ上で実行中のプロセス、プロセッサ、オブジェクト、実行ファイル（executable）、実行のスレッド、プログラム及び／又はコンピュータであることができる。例えば、コンピュータ装置上で実行中のアプリケーション及びコンピュータ装置の両方は、構成要素であることができる。１以上の構成要素がプロセス及び／又は実行のスレッド中に備わっていることができ、また、１つの構成要素は、１つのコンピュータに局在されてもよく、及び／或いは２以上のコンピュータ間に分散されてもよい。さらに、これらの構成要素は、その媒体上に格納された種々のデータ構造を有する種々のコンピュータ読み取り可能媒体から実行することができる。構成要素は、例えば１以上のデータパケットを有する信号に従って、ローカルプロセス及び／又は遠隔プロセスを介して通信することができ、このようなデータは、例えば、ローカルシステム、分散型システム内で他の構成要素と相互作用する（interact）構成要素、及び／又は信号によって他のシステムとインターネット等のネットワークを介して相互作用する構成要素からのデータである。
【００１５】
さらに、種々の態様は、端末に関連して本明細書中で説明され、この端末は、有線端末又は無線端末であることができる。端末は、システム、装置、加入者ユニット、加入者局、移動局、モバイル（mobile）、モバイル装置、遠隔局、遠隔端末、アクセス端末、ユーザ端末、端末、通信装置、ユーザエージェント、ユーザ装置又はユーザ設備（ＵＥ：user equipment）と称されることもできる。無線端末は、セルラ電話、衛星電話、コードレス電話、セッション開始プロトコル（ＳＩＰ）電話、ワイヤレスローカルループ（ＷＬＬ）局、携帯情報端末（ＰＤＡ）、無線接続能力を有する手持ちサイズの装置、コンピュータ装置又は無線モデムに接続される他の処理装置であることができる。さらに、種々の態様は、基地局に関連して本明細書中で説明される。基地局は、無線端末と通信するために利用されることができ、アクセスポイント、ノードＢ又は他の用語で称されることもできる。
【００１６】
さらに、用語「又は・或いは（or）」は、排他的「又は・或いは」ではなく包括的「又は・或いは」を意味するように意図される。即ち、他の方法で指定されない、又は前後関係から明らかでない場合、句「ＸはＡ又はＢを使用する」は、普通の包括的な置換のいずれも意味するように意図される。即ち、句「ＸはＡ又はＢを使用する」は、以下の例、即ち、ＸはＡを使用する、ＸはＢを使用する、又はＸはＡとＢの両方を使用する、のいずれによっても満たされる。さらに、本出願及び添付の特許請求の範囲で使用される冠詞「a」及び「an」は、他の方法で指定されない、又は単数形に向けられることが前後関係から明らかでない場合、「１以上（one or more）」を意味するように一般に解釈されるべきである。
【００１７】
本明細書に記載される技術は、種々の無線通信方法、例えば、ＣＤＭＡ、ＴＤＭＡ、ＦＤＭＡ、ＯＦＤＭＡ、ＳＣ−ＦＤＭＡ及び他のシステム等に使用されることができる。用語「システム」及び「ネットワーク」は、しばしば交換可能に使用される。ＣＤＭＡシステムは、ユニバーサルテレストリアルラジオアクセス（ＵＴＲＡ：Universal Terrestrial Radio Access）、ｃｄｍａ２０００等の無線技術を実現することができる。ＵＴＲＡは、広帯域符号分割多元接続（Ｗ−ＣＤＭＡ）及びＣＤＭＡの他の変形を含む。さらに、ｃｄｍａ２０００は、ＩＳ−２０００、ＩＳ−９５及びＩＳ−８５６標準規格をカバー（covers）する。ＴＤＭＡ方式は、グローバルシステムフォーモバイルコミュニケーションズ（ＧＳＭ：Global System for Mobile Communications）等の無線技術を実現することができる。ＯＦＤＭＡシステムは、エボルブドＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ等の無線技術を実現することができる。ＵＴＲＡ及びＥ−ＵＴＲＡは、ユニバーサルモバイルテレコミュニケーションシステム（ＵＭＴＳ：Universal Mobile Telecommunication System）の一部である。３ＧＰＰのロングタームエボリューション（ＬＴＥ：Long Term Evolution）は、Ｅ−ＵＴＲＡを使用するＵＭＴＳのリリースであり、それは、ダウンリンクでＯＦＤＭＡを使用し、アップリンクでＳＣ−ＦＤＭＡを使用する。ＵＴＲＡ、Ｅ−ＵＴＲＡ、ＵＭＴＳ、ＬＴＥ及びＧＳＭは、「第３世代パートナーシッププロジェクト」（３ＧＰＰ：3rd Generation Partnership Project）と命名された団体からのドキュメントに記述されている。さらに、ｃｄｍａ２０００及びＵＭＢは、「第３世代パートナーシッププロジェクト２」（３ＧＰＰ２：3rd Generation Partnership Project 2）と命名された団体からのドキュメントに記述されている。
【００１８】
種々の態様又は特徴は、複数の装置、構成要素、モジュール及びその同種のものを含むことができるシステムに関して示される。種々のシステムが追加の装置、構成要素、モジュール等を含んでもよく、及び／又は図に関連して議論される装置、構成要素、モジュール等の全てを含むとは限らないことは、理解されて認識されるべきである。これらのアプローチの組み合せが使用されてもよい。
【００１９】
図１は、ネットワーク（例えば、異種の（heterogeneous）ネットワーク）間におけるハンドオーバーの事前セットアップ（pre-setup）／実行及びデータパケットの再ルーティング（re-routing）、並びにソースアクセスシステム（source access system）１１０及びターゲットアクセスシステム（target access system）１１２間の相互動作（inter-working）を可能にするネットワークシステム１００を示している。システム１００は、異種のアクセスシステム、即ち、ソースアクセスシステム１１０及びターゲットアクセスシステム１１２間のセッションハンドオフの一部として、ターゲットアクセスシステム１１２へのトンネルを予め確立することを可能にする。システム間ハンドオフ制御構成要素（inter-system handoff control component）１１５は、ハンドオーバー準備構成要素（handover preparation component）１５２及びハンドオーバー実行構成要素（handover execution component）１５４を使用することにより、種々のステージ中に、このようなセッションハンドオフを促進することができる。従って、トンネリング（tunneling）は、ソースアクセスシステム１１０及びターゲットアクセスシステム１１２の両方に対応するために、デュアルモードで動作するアクセス端末１０４から実行されることができ、これは、例えば、このようなアクセス端末がある瞬間に１つのアクセスシステム内でのみ送信することができる場合であってもよい。異種のアクセスシステム間の典型的なハンドオフは、ウルトラモバイルブロードバンド（ＵＭＢ）及び高レートパケットデータ（ＨＲＰＤ：High Rate Packet Data）と、ＷｉＭａｘ／ＨＲＰＤと、ロングタームエボリューション（ＬＴＥ）／ＨＲＰＤとの間のハンドオフを含むことができ、システムアーキテクチャは、ハンドオフ準備用のモバイル（mobile）を積極的に含むために、クライアントモバイルＩＰ（client mobile IP）又はプロキシーモバイルＩＰ（proxy mobile IP）を使用して、インターネットプロトコル（ＩＰ）モビリティを実施することができる。
【００２０】
このように、システム間ハンドオフ制御構成要素１１５は、アクセス端末１０４及びターゲットアクセスシステム１１２間のセッションネゴシエーションの一部としてハンドオーバーのセットアップ（setup）及び実行パケットを交換するために、ハンドオフ中の割り込み（interruption）を低減し、ハンドオフ中にセッションセットアップを実行する要求を軽減するために、ハンドオフの前にトンネリングを利用することができる。システム間ハンドオフ制御構成要素１１５は、通信情報パケットがソースアクセスシステム１１０を介してトランスポート（transport）されることをさらに可能とし、このようなソースアクセスシステム１１０は、アクセス端末１０４及びターゲットアクセスシステム１１２間のネゴシエーション中には典型的には関与しない。
【００２１】
アクセス端末１０４は、初めは、ソースアクセスシステム１１０と通信しており、ハンドオーバー準備構成要素１５４は、所定のイベントのトリガによってハンドオーバー準備ステージを開始する。例えば、ソースアクセスシステム１１０は、ソースアクセスシステム１１０とは異なる一連の手続き（procedure）／技術を使用するターゲットアクセスシステム１１２へセッションをハンドオフする要求を通知されることができる。この通知は、パイロット信号の弱まり及び／又はターゲットアクセスシステム１１２からの通知（advertisement）に基づいてトリガされることができ、これは、アクセス端末１０４がソースアクセスシステム１１０のサービスエリア（coverage）の端部に達していること及びハンドオフの準備が開始されうることを示す。このようなハンドオーバー準備構成要素１５４は、ターゲットアクセスシステム１１２に関連する無線アクセスネットワーク（ＲＡＮ）のパラメータ等を予め設定する（pre-set）ことをさらに促進することができる。
【００２２】
関連する態様では、ハンドオーバー準備構成要素１５２は、ターゲットアクセスシステム１１２の接続準備をさらに提供することができ、これは、ソースアクセスシステム１１０又はターゲットアクセスシステム１１２におけるトリガに基づいて開始されることができる（例えば、パイロット信号情報に関連する所定のイベントに基づいて開始される）。ターゲット準備ステージは、ソースアクセスシステム１１０による無線リソースに関する要求、及びターゲットシステムからアクセス端末への無線リソースの割り当てをさらに含むことができる。同様に、ハンドオーバー実行構成要素１５４は、アクセス端末１０４が無線でターゲットアクセスシステム１１２を捕捉することを可能にし、ＩＰトラフィックは、アクセス端末１０４にリダイレクトされ（redirected）、パケットは、ソースアクセスシステム１１０を経由して（例えば、透過的に（transparently）、又は非透過的に（non-transparently））トランスポートされる。一態様では、トンネリングは、さらに連結させられることができる（例えば、アクセス端末及びソースコアシステム間、並びにソースシステム及びターゲットシステム間の既存のトンネルに連結させられる）。
【００２３】
図２は、ある特定の態様を示しており、ハンドオーバー準備構成要素２５２は、ソースアクセスシステム２１０からターゲットアクセスシステム２１２への他のトンネルとともに、アクセス端末２０４からソースアクセスシステム２１０へのトンネリングを実行する。このようなトンネル２７５、２７９は、アクセス端末と、ソースアクセスシステム２１０とターゲットアクセスシステムとの間の論理的な関連（例えば、ＩＰ、Ｌ２（データリンク層）、シグナリング等）を示すことができる。図２に示されるように、アクセス端末２０４は、ソースアクセスシステム２１０からターゲットアクセスシステム２１２へのセッションハンドオフを開始するための信号強度の変化を検出することができる。例えば、はじめに、ハンドオーバー準備構成要素２５２は、ソースアクセスシステム２１０及びアクセス端末２０４間にトンネルを確立する。このように、ソースアクセスシステム２１０は、アクセス端末２０４がターゲットアクセスシステムへのセッションハンドオフを要求することを認識し、例えば、ソースアクセスシステム２１０は、パイロットレポート（report）に基づいてターゲットアクセスシステムをその後に指定する。次に、ハンドオーバー準備構成要素２５２は、ソースアクセスシステム２１０及びターゲットアクセスシステム２１２間に他のトンネルを確立することを促進する。このようなトンネル２７９は、例えば、アクセス端末がそのような認識を有することなしに、アクセス端末２０４によってレポートされたパイロットによって部分的に決定されたマッピングを介して確立されることができる。
【００２４】
システム２００は、ホームエージェント２０２をさらに含むことができ、ホームエージェント２０２は、ソースアクセスシステム２１０及びターゲットアクセスシステム２１２間のパケット転送中に、インターネット２０６から受信されたアクセス端末２０４へのパケットのルーティングに関する情報を保持するアクセス端末のホームネットワーク上のルータであることができる。例えば、ホームエージェント２０２は、インターネット２０６からのデータを転送するためにトンネルのメカニズムをさらに使用することができ、その結果、アクセス端末２０４が異なる位置からホームネットワークに接続するたびに変わるアクセス端末２０４のＩＰアドレスを要求しない。
【００２５】
さらに、一態様では、ソースアクセスシステム２１０は、ソースアクセスシステム２１０がアクセス端末２０４をもはやサーブ（serving）しておらず、ターゲットアクセスシステム２１２がアクセス端末２０４をサーブしているという指示を、ターゲットアクセスシステム２１２及び／又はシステム間ハンドオフ制御構成要素２１５に与えることができる。さらに、ソースアクセスシステム２１０は、最近の受信データパケットのアイデンティティを示すことができ、従って、シーケンス中の次のデータパケットをターゲットアクセスシステム２１２に提供する。
【００２６】
他の例では、ソースアクセスシステム２１０は、ソースアクセスシステム２１０がどのデータパケットをターゲットアクセスシステム２１２へ既に転送したかを示すことができる。例えば、ソースアクセスシステム２１０は、ターゲットアクセスシステム２１２に重複データが運ばれないことを保証するために、相互作用することができる。ターゲットアクセスシステム２１２は、ソースアクセスシステム２１０から伝送されたデータを受信することができ、シームレスのハンドオフが生じ、データが適切な順序でアクセス端末２０４に伝送されるような一連の伝送の指示をさらに受信することができる。
【００２７】
種々の置換が検討されることができ、かつこれらの置換が本明細書に添付の特許請求の範囲に入るように意図されることは、認識されるべきである。例えば、ソースアクセスシステム２１０は、アクセス端末２０４がターゲットアクセスシステム２１２にハンドオフを要求しているという指示を、ターゲットアクセスシステム２１２がこのような指示を受信するよりも前に受信することができる。さらに、ソースアクセスシステム２１０は、それに応じてターゲットアクセスシステム２１２にハンドオフを示すことができ、アクセス端末２０４への伝達に備えることができる。
【００２８】
図３は、異種のネットワーク、即ち、ＬＴＥシステム３１０によって表わされるソースアクセスシステムとターゲットアクセスシステムを表わすＨＲＰＤシステム３１５との間におけるハンドオーバー事前セットアップ／実行、及びデータパケットの再ルーティングを示している。ＡＴ３０４が他の地理的な位置に移動すると、セッションハンドオフがパイロットレポートに基づいて開始されることができる。或いは、ハンドオフ準備のためのトリガは、ソースアクセスシステム３１０に対する近接の技術として、ターゲットアクセスシステム３１５の通知によることができる。そのようなトンネル３６０は、例えばターゲットセッションをセットアップする（set up）ハンドオフ準備段階中に、予めセットアップされることができる。従って、システム３００は、アクセス端末３０４からトンネリングを実行することによってハンドオーバー準備及びハンドオーバー実行の種々の段階中に、ソースアクセスシステム３１０からターゲットアクセスシステム３１５へのセッションハンドオフを促進し、アクセス端末３０４は、ソースシステム及びターゲットアクセスシステムのデュアルモードで動作する。
【００２９】
図４は、一態様に従って、異種のネットワーク間におけるハンドオーバーの事前セットアップ／実行、及びデータパケットの再ルーティングの方法を示している。種々のイベント及び／又は動作ついて一連のブロック表現として典型的な方法が本明細書に例証されて記載されるが、主題の態様は、これらのブロックの表示順序に制限されない。例えば、いくつかの動作又はイベントは、記載される態様に従って、本明細書に例証される順序とは別に、異なる順序で生じてもよく、及び／又は他の動作又はイベントと同時に生じてもよい。さらに、示されるブロック、動作又はイベントの全てが主題の態様に従った方法を実行するために要求されるとは限らなくてもよい。さらに、説明される態様に従った典型的な方法及び他の方法が本明細書に例証及び記載される方法に関連して、並びに例証も記載もされない他のシステム及び装置に関連して実施されてもよいことは、認識されるべきである。
【００３０】
はじめに４１０において、アクセス端末は、ソースアクセスシステムと相互作用しており、その手続き／技術を使用する。続いて、４２０において、ハンドオーバー準備ステージは、ソースアクセスシステムを介してパケットトランスポートを可能にするために、及びターゲットアクセスシステムにおいてセッション構成を予め設定するために、アクセス端末とソース及び／又はターゲットアクセスシステムとの間に予めトンネリングを提供することで開始される。
【００３１】
次に、４３０において、ターゲット接続準備ステージが生じ、このターゲット接続準備ステージは、ソースアクセスシステム又はターゲットアクセスシステムにおけるトリガ、例えば、パイロット信号情報に関連する所定のイベントの発生に基づくことができる。それに応じて、アクセス端末は、無線リソースを要求することができ、ターゲットシステムから無線リソースの割り当てをさらに得ることができる。４４０において、ハンドオーバー完了ステージ中に、アクセス端末は、ターゲットシステムを無線で捕捉し、続いて４５０において、アクセス端末は、ターゲットシステムと直接通信を開始する。
【００３２】
図５は、ハンドオーバー準備ステージのさらなる態様に従ったセッションハンドオフの関連方法５００を示している。はじめに５１０において、ソースアクセスシステムは、ターゲットアクセスシステムへセッションをハンドオフする要求を通知されることができ、これは、１以上の所定のイベントの発生に基づいてトリガされることができる。例えば、通知は、パイロット信号の弱化及び／又はターゲットアクセスシステムからの通知に基づいてトリガされることができ、これは、ＡＴがソースシステムのサービスエリアの端部に達すること、及び／又はハンドオフのための準備が望ましいことを示すことができる。続いて５２０において、マッピングは、ターゲットアクセスシステムを指定するために記録されている現在のパイロット及び他のパイロット間で実行されることができる。次に、５３０において、トンネルは、ソースアクセスシステム及びターゲットアクセスシステム間に確立され、５４０において、ターゲットシステムの無線アクセスネットワーク（ＲＡＮ）のパラメータが予め設定されることができる（例えば、データリンク層におけるトンネリング、Ｌ２トンネリング）。
【００３３】
図６は、ユーザ設備又はアクセス端末６１０とソースアクセスシステム６４０とターゲットアクセスシステム６６０との間の相互作用のための典型的なブロック図を示している。ＵＥ６１０は、両方のシステムとデュアルモード動作を可能にするために、ターゲットシステムプロトコル６１１及びソースシステムプロトコル６１２の両方を含む。一態様では、ソースアクセスシステム６４０は、ＡＴ６１０及びターゲットアクセスシステム６６０間にネゴシエートされるセッションに（例えば、技術的に異なることから）参加しない。同様に、トンネルカプセル化プロトコル６１５は、（例えば、ハンドオフ中の割り込みを低減するために、及びハンドオフ中にセッションセットアップを実行する要求を軽減するために）ＡＴ６１０及びターゲットアクセスシステム６６０間のセッションネゴシエートの一部として、ハンドオーバーの前にトンネリングを提供することができ、データパケットは、ソースアクセスシステム６４０を介して（例えば、透過的に、又は非透過的に）トランスポートされる。
【００３４】
配置（arrangement）６００は、アクセス端末６１０からトンネルカプセル化プロトコル６１５を実行することにより、ハンドオーバーの前にハンドオーバー準備及びハンドオーバー実行を利用して、ソースアクセスシステム６４０からターゲットアクセスシステム６６０へのセッションハンドオフを促進する。同様に、ＲＡＮカプセル化構成要素６４５は、ターゲットアクセスシステム６６０に関連する無線アクセスネットワーク（ＲＡＮ）と通信するために、ハンドオーバー準備及びＵＥ６１０のパラメータの事前設定を促進する。
【００３５】
図７は、異種のネットワーク７０４、７０６におけるデータパケットの再ルーティングのための典型的なコールフロー７００を示している。はじめに７１０において、ＡＴ又はＵＥ７０２は、ソースネットワーク７０４にあり、アクセス端末７０２又はユーザ設備は、ホームエージェント７０８に登録されている。７２０では、ハンドオーバー準備中に、ＵＥは、ターゲットアクセスネットワーク７０６とのセッションの事前セットアップに関与することができる。続いて、７４０では、ハンドオーバー実行ステージ中に、ＵＥは、リソース割り当てを受信してターゲットアクセスネットワーク７０６を捕捉する。次に、ユーザ設備は、このようなターゲットアクセスネットワークと直接通信し、さらに、ホームエージェントに登録することができる。７５０において、パケットは、ターゲットアクセスネットワークでさらに転送されることができる。
【００３６】
図８は、無線端末８２６にサービスを提供することができる典型的な異種の無線通信システム８１１及び８２１を示している。システム８１１及び８２１は、夫々ターゲットアクセスシステム及びソースアクセスシステムを示し、複数のセクタ８０２、８０４、８０８及び８０６、８１０、８１２を含んでいる。ターゲットアクセスシステム８１１及びソースアクセスシステム８２１は、このようなセクタ内で異なる無線サービスを使用することができる。このようなセクタは、事実上六角形であって実質的に同様なサイズであるものとして示されているが、これらのセクタのサイズ及び形状は、建物のような物理的割り込み物の地理的領域、数、サイズ及び形状、並びにいくつかの他の要因に応じて変化しうることは理解される。アクセスポイント（基地局、アクセスルータ等）８１４、８１６、８２０は、セクタ８０２、８０４、８０８に対応づけられ、技術「Ａ」がその一部として使用される。同様に、アクセスポイント８１８、８２２、８２４は、セクタ８０６、８１２、８１０に対応づけられ、技術「Ｂ」がその一部として使用され、ただし、技術「Ｂ」は、技術「Ａ」とは異なる。
【００３７】
無線端末８２６が地理的にポートされる（ported）場合、ソースアクセスシステム８２１から受信された信号と比較したときに、ターゲットアクセスシステム８１１からより大きな強度の信号を受信することがある。無線端末８２６がソースアクセスシステム８２１及びターゲットアクセスシステム８１１の両方に対してデュアルモードで動作することができることは、認識されるべきであり、システム間ハンドオフ制御構成要素８１９は、ＡＴ８２６及びターゲットアクセスシステム８１１間のセッションネゴシエーションの一部として、ハンドオフより前にトンネリングを提供することができる。従って、ＡＴがターゲットシステムへのハンドオフを準備している間に、データパケットは、ソースアクセスシステム８２１を介して（透過的に、又は非透過的に）トランスポートされることができ、続いて、ハンドオフが完了すると、データパケットは、ターゲットシステムにリダイレクトされることができる。
【００３８】
図９は、ハンドオフが要求される場合において、ソースアクセスシステムを経由してモバイルユニット及びターゲットアクセスシステムによって確立されたトンネリングを介した異種のアクセスシステム間のデータの伝達を促進する特定のシステム９００を示している。システム９００は、アクセスポイントに関連づけられることができ、異種のアクセスシステム間のハンドオフ中にアクセス端末への通信情報パケットの伝送に関連して互いに通信することができる構成要素のグループ９０２を含む。グループ９０２は、アクセス端末が第１のアクセスシステムから第２のアクセスシステムへのハンドオフを要求していることを判断する構成要素９０４を含む。例えば、このような判断は、ソースアクセスシステムによるターゲットアクセスシステムのアイデンティティ（identity）の分析により生じることができる。このようなアイデンティティの判断は、ターゲットアクセスシステムを指定するために、マッピングシナリオ（mapping scenarios）をさらに実行することができる。
【００３９】
グループ９０２は、このような第１のアクセスシステムからどの通信データがアクセス端末へ次に伝送されるべきかについての指示を受信するとともに、第１のアクセスシステムから通信データを受信する構成要素９０６を含む。例えば、ＲＬＰパケットヘッダ中のタイムスタンプ又は他のシーケンス番号は、どの通信データがアクセス端末へ次に伝送されるべきか示すことができる。グループ９０２は、ネットワークモジュールから通信データを受信する構成要素９０８をさらに含み、データは、アクセス端末へ望ましく伝送される。さらに、ネットワークモジュールから受信された通信データは、シーケンス番号又はスタンプに関連づけられるＩＰカプセル化データパケットであることができ、これにより、アクセスシステムにどの通信データを次に伝送するかをアクセスシステムが決定することが可能となる。グループ９０２は、適切な順序でアクセス端末へ通信データを伝送する構成要素９１０をさらに含み、通信データは、第１のアクセスシステム及びネットワークモジュールから受信される。例えば、第２のアクセスシステムは、アクセス端末へ送信される通信データを受信することができ、この通信データは、第１のアクセスシステムによって既に伝送された通信データと重複しておらず、特定の順序で伝送されることになっている。システム９００は、メモリ９１２をさらに含み、メモリ９１２は、構成要素９０４〜９１０の実行に関連する命令を保持することができる。システム９００は、たとえソースが制御をまだ放棄していなくても、新しい又はターゲットアクセスシステムがハンドオフの準備中に通信データを受信し始めることができ、受信通信データは、ターゲットアクセスシステムにバッファされる（buffered）ことができる。
【００４０】
図１０は、Ｌ２層においてハンドオフの前及びハンドオフの後にアクセス端末へのデータ送信に関連して使用されることができるシステム１０００を示している。システム１０００は、例えば１以上の受信アンテナから信号を受信し、受信信号に典型的な動作（例えば、フィルタリング、増幅、ダウンコンバート）を実行し、調整された信号をデジタル化してサンプルを得る受信器１００２を含む。復調器１００４は、チャネル推定のために、受信パイロットシンボルを復調してプロセッサ１００６提供することができる。
【００４１】
プロセッサ１００６は、受信器構成要素１００２により受信された情報の分析、及び／又は送信器１０１４により伝送される情報の生成を専門とするプロセッサであることができる。プロセッサ１００６は、システム１０００の１以上の部分を制御するプロセッサであってもよく、及び／又は受信器１００２により受信される情報を解析し、送信器１０１４により伝送される情報を生成し、さらにシステム１０００の１以上の部分を制御するプロセッサであってもよい。システム１０００は、ハンドオフの前に、ハンドオフ中に及び／又はハンドオフの後にユーザ設備のパフォーマンスを最適化することができる最適化構成要素１００８を含むことができる。最適化構成要素１００８は、プロセッサ１００６に組み込まれてもよい。ソースアクセスシステムからターゲットアクセスシステムへハンドオフするか否かの決定に関連してユーティリティベースの分析（utility based analysis）を実行する最適化コードを最適化構成要素１００８が含むことができることは、認識されるべきである。最適化コードは、推定の実行に関連して人工知能ベースの方法、並びに／或いはハンドオフの実行に関連して確率的な決定及び／又は統計に基づく決定を利用することができる。
【００４２】
システム（ユーザ設備）１０００は、メモリ１０１０をさらに含むことができ、このメモリ１０１０は、プロセッサ１００６に動作的に結合され、基地局に関する信号強度情報及びスケジューリング情報等の情報を格納し、このような情報は、ハンドオフを要求するべきか否か、及びいつハンドオフを要求するべきかを決定することに関連して使用されることができる。メモリ１０１０は、参照テーブルの作成等に関連するプロトコルをさらに格納することができ、その結果、システム１０００は、システム容量を増加させるために格納されたプロトコル及び／又はアルゴリズムを使用することができる。本明細書に記述されるデータストア（例えば、メモリ）構成要素が揮発性メモリ又は不揮発性メモリのいずれかであってもよく、揮発性及び不揮発性メモリの両方を含んでもよいことは、認識されるだろう。限定ではなく例として、不揮発性メモリは、リードオンリーメモリ（ＲＯＭ）、プログラマブルＲＯＭ（ＰＲＯＭ）、電気的プログラム可能ＲＯＭ（ＥＰＲＯＭ）、電気的消去可能ＲＯＭ（ＥＥＰＲＯＭ）又はフラッシュメモリを含むことができる。揮発性メモリは、ランダムアクセスメモリ（ＲＡＭ）を含むことができ、このランダムアクセスメモリは、外部キャッシュメモリとして機能する。限定ではなく例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）及びダイレクトランバスＲＡＭ（ＤＲＲＡＭ）等の種々の形態で利用可能である。メモリ１０１０は、限定されないが、これら及び他の適切なタイプのメモリを含むように意図される。プロセッサ１００６は、シンボルモジュレータ１０１２及び変調された信号を送信する送信器１０１４に結合される。
【００４３】
図１１は、適宜にハンドオフの指示の受信及び／又はアクセス端末へのデータ受信に関連して使用されることができるシステムを示している。システム１１００は、１以上の受信アンテナ１１０６を介して１以上のユーザ装置１１０４から信号を受信し、複数の送信アンテナ１１０８を介して１以上のユーザ装置１１０４に送信する受信器１１１０を有する基地局１１０２を備える。一例では、受信アンテナ１１０６及び送信アンテナ１１０８は、１セットのアンテナを使用して実現されることができる。受信器１１１０は、受信アンテナ１１０６から情報を受信することができ、受信情報を復調する復調器１１１２と動作的に結合される。受信器１１１０は、当業者によって理解されるように、例えば、レーキ（Rake）受信器（例えば、複数のベースバンド相関器を使用してマルチパス信号成分を個別に処理する技術等）、ＭＭＳＥベースの受信器、又はそれに割り当てられたユーザ装置を分離するための他の適切な受信器であることができる。例えば、複数の受信器（例えば、１つの受信アンテナ毎に１つの受信器）が使用されることができ、これらの受信器は、相互に通信してユーザデータの改善された推定を提供することができる。復調されたシンボルは、ユーザデバイス割り当てに関連する情報、及びこれに関連する参照テーブル等を格納するメモリ１１１６に結合されているプロセッサ１１１４によって分析され、このプロセッサ１１１４は、図９に関して上述したのと同様のものである。各アンテナの受信器出力は、受信器１１１０及び／又はプロセッサ１１１４によって一緒に処理されることができる。変調器１１１８は、送信アンテナ１１０８を介した送信器１１２０によるユーザ装置１１０４への伝送のために信号を多重化することができる。
【００４４】
本出願に使用される場合、用語アクセス端末は、２つのアクセスシステムにアクセスするエンドノード（end node）を指し、エンドノードは、エンドユーザ装置、モバイル装置、３ＧＰＰ２規格に準拠して動作する装置、３ＧＰＰに準拠して動作する装置、ＩＥＥＥに準拠して動作する装置及び／又はユーザ設備であってもよい。
【００４５】
本明細書に開示される実施形態に関連して記述される種々の実例となるロジック、論理ブロック、モジュール及び回路は、本明細書に記述される機能を実行するように設計される汎用プロセッサ、デジタル信号プロセッサ（ＤＳＰ）、特定用途向け集積回路（ＡＳＩＣ）、フィールドプログラマブルゲートアレイ（ＦＰＧＡ：field programmable gate array）、又は他のプログラム可能論理デバイス（programmable logic device）、ディスクリートゲート（discrete gate）又はトランジスタ論理（discrete gate or transistor logic）、ディスクリートハードウェア（discrete hardware）構成要素、又はこれらの任意の組み合わせを使用して実現又は実行されてもよい。汎用プロセッサは、マイクロプロセッサとすることができるが、代替として、プロセッサは、任意の従来のプロセッサ、コントローラ、マイクロコントローラ、又は状態機械であってもよい。プロセッサは、コンピュータデバイスの組み合わせ、例えば、ＤＳＰ及びマイクロプロセッサの組み合わせ、複数のマイクロプロセッサ、ＤＳＰコアと結合された１以上のマイクロプロセッサ、又は任意の他のこれらのような構成で実現されてもよい。さらに、少なくとも１つのプロセッサは、上述された１以上のステップ及び／又は動作を実行するように動作可能な１以上のモジュールを備えてもよい。
【００４６】
さらに、本明細書に開示される態様に関連して記述される方法又はアルゴリズムのステップ及び／又は動作は、ハードウェアにより直接実現されてもよく、プロセッサによって実行されるソフトウェアモジュールにより実現されてもよく、又はこれら２つの組み合せにより実現されてもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は技術的に公知の記録媒体の他の形態に備わっていてもよい。典型的な記録媒体は、プロセッサに結合されることができ、その結果、このプロセッサは、記録媒体から情報を読み出すことができ、記録媒体に情報を書き込むことができる。代替として、記録媒体は、プロセッサに一体化されてもよい。さらに、いくつかの態様では、プロセッサ及び記録媒体は、ＡＳＩＣに備わっていてもよい。さらに、ＡＳＩＣは、ユーザ端末に備わっていてもよい。代替として、プロセッサ及び記憶媒体は、ユーザ端末の個別部品として備わっていてもよい。さらに、いくつかの態様では、方法又はアルゴリズムのステップ及び／又はアクションは、コンピュータ読み取り可能媒体又はコンピュータ読み取り可能媒体上のコード及び／又は命令の１或いは任意の組み合せ又はセットとして備わっていてもよく、これらは、コンピュータプログラムプロダクトに組み込まれてもよい。
【００４７】
１以上の態様では、記述された機能は、ハードウェア、ソフトウェア、ファームウェア又はその任意の組み合せにより実施されることができる。ソフトウェアによる実施の場合、機能は、コンピュータ読み取り可能媒体上に１以上の命令又はコードとして格納され、或いは伝送されることができる。コンピュータ読み取り可能媒体は、コンピュータ記録媒体、及びある場所から他の場所へコンピュータプログラムの転送を促進するあらゆる媒体を含む通信媒体の両方を含む。記録媒体は、コンピュータによってアクセスすることができるいかなる利用可能な媒体であってもよい。限定ではなく例として、このようなコンピュータ読み取り可能媒体は、ＲＡＭ、ＲＯＭ、ＥＥＰＲＯＭ、ＣＤ−ＲＯＭ又は他の光学ディスク記憶装置、磁気ディスク記憶装置あるいは他の磁気記憶装置、又は命令又はデータ構造の形態で所望のプログラムコードを伝達又は格納するために使用されることができてコンピュータがアクセスすることができる他の媒体を含むことができる。さらに、いかなる接続もコンピュータ読み取り可能媒体と称されることができる。例えば、同軸ケーブル、光ファイバーケーブル、ツイストペア、デジタル加入者線（ＤＳＬ）、又は赤外線、無線及びマイクロ波等の無線技術を使用して、ソフトウェアがウェブサイト、サーバ又は他の遠隔ソースから伝送される場合、同軸ケーブル、光ファイバーケーブル、ツイストペア、ＤＳＬ、又は赤外線、無線及びマイクロ波等の無線技術は、媒体の定義に含まれる。本明細書で使用される場合、ディスク（disk）及びディスク（disc）は、コンパクトディスク（ＣＤ）、レーザーディスク（登録商標）、光ディスク、デジタル多用途ディスク（ＤＶＤ）、フロッピー（登録商標）ディスク及びブルーレイディスクを含む、ここで、ディスク（disc）は、レーザーで光学的にデータを通常再生するのに対して、ディスク（disk）は、磁気的にデータを通常再生する。上記のものの組み合せもコンピュータ読み取り可能媒体の範囲内で含まれているべきである。
【００４８】
上述の開示は、実例となる態様及び／又は実施形態について議論しているが、添付の特許請求の範囲によって定義されるような記載される態様及び／又は実施形態の範囲から逸脱することなしに、種々の変更及び変形が本明細書でなされることができることは、注目されるべきである。さらに、記載された態様及び／又は実施形態の要素は、単数形で記載され、或いは単数形でクレームされるが、単数である限定が明示的に記載されなければ、複数形が意図される。さらに、他の方法で記載されなければ、任意の態様及び／又は実施形態の全て又は一部は、任意の他の態様及び／又は実施形態の全て又は一部で利用されてもよい。
【図１】
2010521924.tif 000003
【図２】
2010521924.tif 000004
【図３】
2010521924.tif 000005
【図４】
2010521924.tif 000006
【図５】
2010521924.tif 000007
【図６】
2010521924.tif 000008
【図７】
2010521924.tif 000009
【図８】
2010521924.tif 000010
【図９】
2010521924.tif 000011
【図１０】
2010521924.tif 000012
【図１１】
2010521924.tif 000013
【国際調査報告】
2010521924.tif 000014
2010521924.tif 000015
2010521924.tif 000016